(57)【特許請求の範囲】
【請求項１】
複数の踏み板部材によって複数の段部が形成され、これらの段部のうち、最下位段部での歩行向きと最上位段部での歩行向きとが角度をなしている廻り階段部を有する廻り階段構造において、前記最下位段部に第１直線階段部の上端が接続されているとともに、前記最上位段部に第２直線階段部の下端が接続され、前記廻り階段部の廻り中心部の位置が、前記第１直線階段部における前記廻り階段部の廻り内側の面の前記廻り階段部側への延長線と、前記第２直線階段部における前記廻り階段部の廻り内側の面の前記廻り階段部側への延長線との交点位置よりも、前記廻り階段部から遠い位置となっており、
前記廻り階段部の廻り内側には廻り内側部材が配置され、この廻り内側部材には、前記第１直線階段部における前記廻り階段部の廻り内側の面の前記廻り階段部側への延長線と一致又は略一致する面と、前記第２直線階段部における前記廻り階段部の廻り内側の面の前記廻り階段部側への延長線と一致又は略一致する面とが設けられ、
前記廻り階段部の廻り内側には１本の柱が立設され、この柱に、前記第１直線階段部を形成する前記廻り階段部の廻り内側のささら桁部材と、前記第２直線階段部を形成する前記廻り階段部の廻り内側のささら桁部材とが結合され、
前記廻り内側部材は、前記柱と、前記廻り階段部を形成するそれぞれの前記踏み板部材との間のスペースに配置されたスペーサとなっており、
前記柱と、前記第１直線階段部を形成する前記廻り階段部の廻り内側のささら桁部材とがブラケットを介して結合され、前記柱と、前記第２直線階段部を形成する前記廻り階段部の廻り内側のささら桁部材とがブラケットを介して結合され、これらのブラケットは前記廻り内側部材によって隠されていることを特徴とする廻り階段構造。
【請求項２】
請求項１に記載の廻り階段構造において、前記廻り内側部材は、前記廻り階段部の前記複数の段部の高さを超える上下方向の長さを有していることを特徴とする廻り階段構造。
【請求項３】
請求項１又は２に記載の廻り階段構造において、前記廻り内側部材は、箱形状に形成されていることを特徴とする廻り階段構造。
【請求項４】
請求項１〜３のいずれかに記載の廻り階段構造において、前記廻り階段部を形成するそれぞれの前記踏み板部材は、これらの踏み板部材の下面全体又は下面略全体が載せられたベース構成体によって支持されており、
前記ベース構成体は、前記廻り階段部における前記第１直線階段部側の端部にこの第１直線階段部と直交して配置された第１横架部材と、前記廻り階段部における前記第２直線階段部側の端部にこの第２直線階段部と直交して配置された第２横架部材とによって支持され、
前記柱と、前記第１直線階段部を形成する前記廻り階段部の廻り内側のささら桁部材とを結合するための前記ブラケットには、前記第１横架部材が結合され、前記柱と、前記第２直線階段部を形成する前記廻り階段部の廻り内側のささら桁部材とを結合するための前記ブラケットには、前記第２横架部材が結合されていることを特徴とする廻り階段構造。
【請求項５】
請求項１〜３のいずれかに記載の廻り階段構造において、前記廻り階段部を形成するそれぞれの前記踏み板部材は、これらの踏み板部材の下面全体又は下面略全体が載せられたベース構成体によって支持されていることを特徴とする廻り階段構造。
【請求項６】
請求項５に記載の廻り階段構造において、前記廻り階段部の廻り外側には、この廻り階段部の廻り外側の面を形成する梁部材が配置され、この梁部材によって前記ベース構成体が支持されていることを特徴とする廻り階段構造。
【請求項７】
請求項６に記載の廻り階段構造において、前記梁部材には、前記第１直線階段部を形成する前記廻り階段部の廻り外側のささら桁部材の前記廻り階段部側への延長方向に配置された第１梁部材と、前記第２直線階段部を形成する前記廻り階段部の廻り外側のささら桁部材の前記廻り階段部側への延長方向に配置された第２梁部材とが含まれていることを特徴とする廻り階段構造。
【請求項８】
請求項６又は７に記載の廻り階段構造において、前記ベース構成体は、前記廻り階段部における前記第１直線階段部側の端部にこの第１直線階段部と直交して配置された第１横架部材と、前記廻り階段部における前記第２直線階段部側の端部にこの第２直線階段部と直交して配置された第２横架部材とによっても支持されていることを特徴とする廻り階段構造。
【請求項９】
請求項４〜８のいずれかに記載の廻り階段構造において、前記ベース構成体は、前記廻り階段部を形成する単数又は複数の前記段部ごとに設けられたベース部材の組み合わせによって構成されていることを特徴とする廻り階段構造。
【請求項１０】
請求項９に記載の廻り階段構造において、互いに隣接する２個の前記ベース部材のうちの少なくとも一方には上下方向へ延びる上下延出部が設けられ、この上下延出部は、前記２個のベース部材によって支持されている前記踏み板部材同士の間の蹴込み板部材となっていることを特徴とする廻り階段構造。
【請求項１１】
請求項１〜１０のいずれかに記載の廻り階段構造において、前記廻り階段部のそれぞれの前記段部は複数の前記踏み板部材の組み合わせで形成されていることを特徴とする廻り階段構造。
【発明の詳細な説明】
【技術分野】
【０００１】
本発明は、複数の段部で形成されていて、最下位段部での歩行向きと最上位段部での歩行向きとが角度をなしている廻り階段部を有する廻り階段構造に係り、例えば、集合住宅の外部に設置される外階段や、室内階段等として利用できるものである。
【背景技術】
【０００２】
複数の段部で形成されていて、最下位段部での歩行向きと最上位段部での歩行向きとが角度をなしている廻り階段部を有する廻り階段構造では、複数の踏み板部材によって廻り階段部の複数の段部が形成され、このような廻り階段構造は、下記の特許文献１に示されている。
【特許文献１】特開２０００−２３４４２７号公報
【発明の開示】
【発明が解決しようとする課題】
【０００３】
廻り階段構造では、廻り階段部の最下位段部に第１直線階段部の上端が接続されるとともに、廻り階段部の最上位段部に第２直線階段部の下端が接続されることがある。このような場合に、廻り階段部の廻り中心部の位置を、第１直線階段部における廻り階段部の廻り内側の面と、第２直線階段部における廻り階段部の廻り内側の面との交点位置又はこの交点位置に近い位置にすると、廻り階段部におけるそれぞれの段部の廻り中心部側での歩行方向寸法が短くなってしまい、廻り階段部を昇降するための歩行がしづらくなってしまうことになる。
【０００４】
本発明の目的は、廻り階段部におけるそれぞれの段部の廻り中心部側での歩行方向寸法が長くなり、廻り階段部を昇降するための歩行が容易になる廻り階段構造を提供するところにある。
【課題を解決するための手段】
【０００５】
本発明に係る廻り階段構造は、複数の踏み板部材によって複数の段部が形成され、これらの段部のうち、最下位段部での歩行向きと最上位段部での歩行向きとが角度をなしている廻り階段部を有する廻り階段構造において、前記最下位段部に第１直線階段部の上端が接続されているとともに、前記最上位段部に第２直線階段部の下端が接続され、前記廻り階段部の廻り中心部の位置が、前記第１直線階段部における前記廻り階段部の廻り内側の面の前記廻り階段部側への延長線と、前記第２直線階段部における前記廻り階段部の廻り内側の面の前記廻り階段部側への延長線との交点位置よりも、前記廻り階段部から遠い位置となっていることを特徴とするものである。
【０００６】
この廻り階段構造によると、廻り階段部の廻り中心部の位置が、第１直線階段部における廻り階段部の廻り内側の面の廻り階段部側への延長線と、第２直線階段部における廻り階段部の廻り内側の面の廻り階段部側への延長線との交点位置よりも、廻り階段部から遠い位置となっているため、廻り階段部におけるそれぞれの段部の廻り中心部側での歩行方向寸法を長くすることができ、これにより、廻り階段部を昇降するための歩行を容易にすることができる。
【０００７】
なお、廻り階段部の段部の段数は、２個でもよく、３個以上でもよい。
【０００８】
さらに、廻り階段部の段部の段数が３個以上である場合には、廻り階段部の廻り中心部の位置は、第１直線階段部における廻り階段部の廻り内側の面の廻り階段部側への延長線と、第２直線階段部における廻り階段部の廻り内側の面の廻り階段部側への延長線との交点位置よりも、廻り階段部から遠い位置となっている限りにおいて、廻り階段部の全部の段部について同一となっている位置でもよく、全部の段部について異なっている位置でもよく、同一となっている位置と異なっている位置とが混在していてもよい。
【０００９】
また、本発明に係る廻り階段構造において、廻り階段部の廻り内側に廻り内側部材を配置し、この廻り内側部材に、第１直線階段部における廻り階段部の廻り内側の面の廻り階段部側への延長線と一致又は略一致する面と、前記第２直線階段部における前記廻り階段部の廻り内側の面の前記廻り階段部側への延長線と一致又は略一致する面とを設けることが好ましい。
【００１０】
これによると、上述のように廻り階段部の廻り中心部の位置が、第１直線階段部における廻り階段部の廻り内側の面の廻り階段部側への延長線と、第２直線階段部における廻り階段部の廻り内側の面の廻り階段部側への延長線との交点位置よりも、廻り階段部から遠い位置となっていても、廻り階段部は、この廻り階段部の廻り内側において、廻り内側部材によって第１直線階段部及び第２直線階段部との連続性が確保されたものとなり、これによっても廻り階段部を昇降するための歩行を容易に行えるようになる。
【００１１】
また、廻り階段部の廻り内側に複数本の柱を立設し、これらの柱のうちの１本又は複数本の柱に、第１直線階段部を形成する廻り階段部の廻り内側のささら桁部材を結合するとともに、残りの柱のうちの１本又は複数本の柱に、第２直線階段部を形成する廻り階段部の廻り内側のささら桁部材を結合してもよく、あるいは、廻り階段部の廻り内側に１本の柱を立設し、この柱に、第１直線階段部を形成する廻り階段部の廻り内側のささら桁部材と、第２直線階段部を形成する廻り階段部の廻り内側のささら桁部材とを結合してもよい。
【００１２】
後者によると、第１直線階段部を形成する廻り階段部の廻り内側のささら桁部材と、第２直線階段部を形成する廻り階段部の廻り内側のささら桁部材との両方が、廻り階段部の廻り内側に立設された１本の柱に結合されることになり、これによると、これらのささら桁部材を結合、支持するための廻り階段部の廻り内側の構造を簡単化することができる。
【００１３】
また、上述のように廻り階段部の廻り内側に廻り内側部材を配置し、この廻り内側部材に、第１直線階段部における廻り階段部の廻り内側の面の廻り階段部側への延長線と一致又は略一致する面と、前記第２直線階段部における前記廻り階段部の廻り内側の面の前記廻り階段部側への延長線と一致又は略一致する面とを設け、かつ廻り階段部の廻り内側に１本の柱を立設し、この柱に、第１直線階段部を形成する廻り階段部の廻り内側のささら桁部材と、第２直線階段部を形成する廻り階段部の廻り内側のささら桁部材とを結合する場合には、廻り内側部材を、前記１本の柱と、廻り階段部を形成するそれぞれの前記踏み板部材との間のスペースに配置されたスペーサとしてもよい。
【００１４】
これによると、廻り内側部材により、前記１本の柱と、廻り階段部を形成するそれぞれの前記踏み板部材との間のスペースを埋めることができるため、廻り内側部材を、廻り階段部と第１直線階段部及び第２直線階段部との連続性を確保するための部材としても、また、前記１本の柱と、廻り階段部を形成するそれぞれの前記踏み板部材との間のスペースを埋めるためのスペーサとしても、用いることができるようになり、これにより、廻り内側部材の兼用化を図ることができる。
【００１５】
さらに、前記１本の柱と、第１直線階段部を形成する前記廻り階段部の廻り内側のささら桁部材とをブラケットを介して結合し、前記１本の柱と、第２直線階段部を形成する前記廻り階段部の廻り内側のささら桁部材とをブラケットを介して結合する場合には、これらのブラケットを廻り内側部材によって隠してもよい。
【００１６】
これによると、廻り内側部材は、前記１本の柱と、第１直線階段部を形成する廻り階段部の廻り内側のささら桁部材とを結合するブラケットと、前記１本の柱と、第２直線階段部を形成する廻り階段部の廻り内側のささら桁部材とを結合するブラケットとを隠すための化粧部材ともなり、廻り内側部材についての兼用化が一層図られることになる。
【００１７】
本発明に係る廻り階段構造において、廻り階段部を形成するそれぞれの踏み板部材は、これらの踏み板部材の下面の一部が載せられたブラケットによって支持してもよく、あるいは、これらの踏み板部材の下面全体又は下面略全体が載せられたベース構成体によって支持してもよく、さらには、踏み板部材の側部によって支持してもよい。
【００１８】
廻り階段部を形成するそれぞれの踏み板部材を、これらの踏み板部材の下面全体又は下面略全体が載せられたベース構成体によって支持する構造とした場合には、廻り階段部を形成するそれぞれの踏み板部材をベース構成体によって有効に支持することができる。
【００１９】
また、このように廻り階段部を形成するそれぞれの踏み板部材を、これらの踏み板部材の下面全体又は下面略全体が載せられたベース構成体によって支持する場合には、廻り階段部の廻り外側に、この廻り階段部の廻り外側の面を形成する梁部材を配置し、この梁部材によってベース構成体を支持することが好ましい。
【００２０】
これによると、ベース構成体を、廻り階段部の外側の面を形成する梁部材を利用することによって有効に支持することができる。
【００２１】
このようにベース構成体を、廻り階段部の廻り外側の面を形成する梁部材によって支持する場合であって、廻り階段部の廻り外側の面が、第１直線階段部を形成する廻り階段部の廻り外側のささら桁部材の廻り階段部側への延長方向に配置された第１梁部材と、前記第２直線階段部を形成する前記廻り階段部の廻り外側のささら桁部材の前記廻り階段部側への延長方向に配置された第２梁部材とによって形成される場合には、ベース構成体を支持する前記梁部材には、これらの第１梁部材と第２梁部材とが含まれる。
【００２２】
また、廻り階段部における第１直線階段部側の端部にこの第１直線階段部と直交又は略直交して配置された第１横架部材と、廻り階段部における第２直線階段部側の端部にこの第２直線階段部と直交又は直交して配置された第２横架部材とが設けられる場合には、ベース構成体をこれらの横架部材によっても支持してもよい。
【００２３】
これによると、ベース構成体の支持を一層有効に行えることになる。
【００２４】
なお、このようにベース構成体を、廻り階段部の廻り外側の面を形成する梁部材によって支持するとともに、廻り階段部における第１直線階段部側の端部にこの第１直線階段部と直交又は略直交して配置された第１横架部材と、廻り階段部における第２直線階段部側の端部にこの第２直線階段部と直交又は直交して配置された第２横架部材とによっても支持する場合には、ベース構成体における廻り階段部の廻り内側の部分を支持するための部材を設けてもよく、設けなくてもよい。
【００２５】
また、ベース構成体を、廻り階段部を形成する全部の踏み板部材を支持できる大面積の１個の部材によって構成してもよく、あるいは、廻り階段部を形成する単数又は複数の段部ごとに設けられたベース部材の組み合わせによって構成してもよい。
【００２６】
後者によると、高さ方向を含む３次元の形状となっているベース構成体を、廻り階段部を形成する単数又は複数の段部ごとに設けられた比較的小面積のベース部材の組み合わせによって構成することができるため、ベース構成体の製造を容易に行えることになる。
【００２７】
このようにベース構成体を、廻り階段部を形成する単数又は複数の段部ごとに設けられたベース部材の組み合わせによって構成する場合には、互いに隣接する２個のベース部材のうちの少なくとも一方に上下方向へ延びる上下延出部を設け、この上下延出部を、前記２個のベース部材によって支持されている踏み板部材同士の間の蹴込み板部材とすることが好ましい。
【００２８】
これによると、互いに隣接する２個のベース部材のうちの少なくとも一方に設けられた上下延出部が、これらのベース部材によって支持されている踏み板部材同士の間の蹴込み板部材となるため、これらの踏み板部材同士の間に特別に蹴込み板部材を配置する必要がなくなり、蹴込み板部材を省略できるようになる。
【００２９】
また、本発明に係る廻り階段構造において、廻り階段部のそれぞれの段部は、１個の段部を１個の踏み板部材で形成してもよく、あるいは、それぞれの段部を複数の踏み板部材の組み合わせで形成してもよい。
【００３０】
後者によると、廻り階段部のそれぞれの段部を複数の踏み板部材の組み合わせによって形成することができるため、それぞれの段部の上面が大面積となっていても、これらの段部の形成作業を容易に行えるようになる。
【００３１】
以上説明した本発明に係る廻り階段構造において、廻り階段部における最下位段部での歩行向きと最上位段部での歩行向きとがなす角度、言い換えると、前記第１直線階段部と前記第２直線階段部とがなす角度は、９０度又は略９０度でもよく、９０度又は略９０度以外の角度、例えば、４５度又は略４５度や、６０度又は略６０度、１２０度又は略１２０度等でもよい。
【００３２】
また、本発明は、任意の場所に設置される廻り階段構造に適用することができ、例えば、集合住宅の外部に設置される外階段としても適用でき、建物内に設置される室内階段としても適用することができ、さらには、公園、公共の広場、遊戯施設、鉄塔、地下街等の構造物のための廻り階段構造としても適用することができ、また、擁壁等の土木構造物のための廻り階段構造としても適用することができる。
【００３３】
さらに、前述したように廻り階段部を形成するそれぞれの踏み板部材を、これらの踏み板部材の下面全体又は下面略全体が載せられたベース構成体によって支持するという構造及びこの構造と関係する構造は、廻り階段部の廻り中心部の位置を、第１直線階段部における廻り階段部の廻り内側の面の前記廻り階段部側への延長線と、第２直線階段部における廻り階段部の廻り内側の面の廻り階段部側への延長線との交点位置よりも廻り階段部から遠い位置としない場合においても、実施することができる。
【発明の効果】
【００３４】
本発明によると、廻り階段部におけるそれぞれの段部の廻り中心部側での歩行方向寸法が長くなり、廻り階段部を昇降するための歩行が容易になるという効果を得られる。
【発明を実施するための最良の形態】
【００３５】
以下に本発明を実施するための形態を図面に基づいて説明する。本実施形態に係る廻り階段構造は、集合住宅の外部に設置される外階段として用いられるものである。
【００３６】
図１は、集合住宅の外部に設置される外階段として用いられる本実施形態に係る廻り階段構造の平面図であり、図２は、図１のＳ２矢視図であり、図３は、図１のＳ３矢視図である。これらの図に示されているように、この廻り階段構造は、６本の柱１〜６を含んで形成され、これらの柱１〜６のうち、図１で示されている４本の柱３〜６によって囲まれている部分が廻り階段部２０である。この廻り階段部２０には、第１直線階段部２１の上端と第２直線階段部２２の下端とが接続されており、これらの直線階段部２１と２２は９０度又は略９０度の角度をなしている。また、柱１と２は、第１直線階段部２１の下端に立設されている。
【００３７】
第１直線階段部２１は、本実施形態に係る廻り階段構造が設置されている仕上げコンクリート１９（図２及び図３を参照）から廻り階段部２０まで昇降するための階段になっており、また、第２直線階段部２２は、廻り階段部２０から、本実施形態に係る廻り階段構造が外部に設置されている前記集合住宅の外廊下まで昇降するための階段になっている。
【００３８】
図１に示されているとおり、第１直線階段部２１は、廻り階段部２０の廻り内側のささら桁部材２３と、廻り階段部２０の廻り外側のささら桁部材２４とを構成部材として構成され、ささら桁部材２３は柱１と柱３との間に配置され、ささら桁部材２４は柱２と柱４との間に配置されている。また、第２直線階段部２２は、廻り階段部２０の廻り内側のささら桁部材２５と、廻り階段部２０の廻り外側のささら桁部材２６とを構成部材として構成され、ささら桁部材２５は、柱３と、前記外廊下に設置されている図示外の柱との間に配置され、ささら桁部材２６は、柱５と、前記外廊下に設置されている図示外の柱との間に配置されている。
【００３９】
さらに、廻り階段部２０は、この廻り階段部２０の廻り外側に配置された第１梁部材２７及び第２梁部材２８を構成部材として構成され、第１梁部材２７は、柱４と柱６との間に配置されているとともに、この第１梁部材２７は、第１直線階段部２１を形成する廻り階段部２０の廻り外側のささら桁部材２４の廻り階段部２０側への延長方向に配置されており、また、第２梁部材２８は、柱５と柱６との間に配置されているとともに、この第２梁部材２８は、第２直線階段部２２を形成する廻り階段部２０の廻り外側のささら桁部材２６の廻り階段部２０側への延長方向に配置されている。
【００４０】
廻り階段部２０の廻り内側には、平面視Ｌ字形状であって、箱形状となっている廻り内側部材２９が配置され、この廻り内側部材２９よりも外側の位置に、言い換えると、この廻り内側部材２９よりも廻り階段部２０から遠い位置であって、廻り階段部２０の廻り内側の位置に、柱１〜６のうち、廻り階段部２０の廻り内側に配置された柱３が立設されている。
【００４１】
なお、廻り内側部材２９は、平面視Ｌ字形状の１個の箱形状部材としてもよく、第１直線階段部２１と第２直線階段部２２に対応して２個製造された箱形状部材の組み合わせ等によって形成してもよい。
【００４２】
図１に示されているように、廻り階段部２０には、３段の段部Ａ〜Ｃが設けられ、これらの段部Ａ〜Ｃにより、本実施形態に係る廻り階段部２０は、図１において、左廻りに昇るようになっている。また、最下位段部Ａは２個の踏み板部材３１，３２で形成され、中位段部Ｂも２個の踏み板部材３３，３４で形成され、最上位段部Ｃも２個の踏み板部材３５，３６で形成されている。これらの踏み板部材３１〜３６は、廻り階段部２０の廻り方向に並べられている。また、第１直線階段部２１のそれぞれの段部は、これらの段部ごとに１個配置された踏み板部材３７で形成され、第２直線階段部２２のそれぞれの段部も、これらの段部ごとに１個配置された踏み板部材３８で形成されている。そして、第１直線階段部２１の上端は、廻り階段部２０の最下位段部Ａに接続され、第２直線階段部２２の下端は、廻り階段部２０の最上位段部Ｃに接続されている。
【００４３】
第１直線階段部２１のそれぞれの踏み板部材３７同士の間には、蹴込み板部材が配置され、第２直線階段部２２のそれぞれの踏み板部材３８同士の間にも、蹴込み板部材が配置されている。
【００４４】
廻り階段部２０の最下位段部Ａでの歩行向きは第１直線階段部２１の向きと一致し、廻り階段部２０の最上位段部Ｃでの歩行向きは第２直線階段部２２の向きと一致している。このため、最下位段部Ａでの歩行向きと最上位段部Ｃでの歩行向きとは、９０度又は略９０度の角度をなしている。
【００４５】
なお、本実施形態では、図１に示すとおり、廻り階段部２０の最下位段部Ａを形成して踏み板部材３１と、第１直線階段部２１のそれぞれの段部を形成している複数の踏み板部材３７のうち、最上位段部の踏み板部材３７Ａとの間には、歩行方向の寸法である幅寸法が小さい張り出し踏み板部材３９が配置され、踏み板部材３１と同じ高さ位置に配置されているこの張り出し踏み板部材３９と、踏み板部材３７Ａとの間に、上下方向に延びる蹴込み板部材が配置されている。また、廻り階段部２０の最上位段部Ｃを形成して踏み板部材３５，３６と、第２直線階段部２２のそれぞれの段部を形成している複数の踏み板部材３８のうち、最下位段部の踏み板部材３８Ａとの間にも、歩行方向の寸法である幅寸法が小さい張り出し踏み板部材４０が配置され、踏み板部材３５，３６と同じ高さ位置に配置されているこの張り出し踏み板部材４０と、踏み板部材３８Ａとの間に、上下方向に延びる蹴込み板部材が配置されている。
【００４６】
図１〜図３に示されているように、廻り階段部２０には、第１及び第２梁部材２７，２８ごとに設けられた手摺り７と、第１及び第２梁部材２７，２８の外面を覆う化粧部材８とが配置され、第１直線階段部２１にも、ささら桁部材２３，２４ごとに設けられた手摺り９と、ささら桁部材２３，２４の外面を覆う化粧部材１０とが配置され、第２直線階段部２２にも、ささら桁部材２５，２６ごとに設けられた手摺り１１と、ささら桁部材２５，２６の外面を覆う化粧部材１２とが配置されている。
【００４７】
図４は、廻り階段部２０の踏み板部材３１〜３６、手摺り７、化粧部材８と、第１直線階段部２１の踏み板部材３７、手摺り９、化粧部材１０と、第２直線階段部２２の踏み板部材３８、手摺り１１、化粧部材１２と、前述した廻り内側部材２９と、張り出し踏み板部材３９，４０と、を省略して示した本実施形態に係る廻り階段構造の平面図である。
【００４８】
この図４で示されているように、廻り階段部２０にはベース構成体５０が配置され、このベース構成体５０の上に、廻り階段部２０のそれぞれの段部Ａ〜Ｃを形成する全部の踏み板部材３１〜３６の下面全体又は下面略全体が載せられ、これにより、踏み板部材３１〜３６がベース構成体５０によって支持されている。また、ベース構成体５０は、廻り階段部２０のそれぞれの段部Ａ〜Ｃごとに設けられた３個のベース部材５１〜５３の組み合わせで形成され、それぞれの段部Ａ〜Ｃの高さの差に対応した上下の段差をもって配置されているこれらのベース部材５１〜５３は、板金の折り曲げ品である。
【００４９】
廻り階段部２０の第１梁部材２７にはＬ字形状ブラケット５４，５５が取り付けられ、ブラケット５４には、最下位段部Ａのベース部材５１における第１梁部材２７側の端部が載せられて結合支持され、ブラケット５５には、中位段部Ｂのベース部材５２における第１梁部材２７側の端部が載せられて結合支持されている。また、廻り階段部２０の第２梁部材２８にはＬ字形状ブラケット５６，５７が取り付けられ、ブラケット５６には、中位段部Ｂのベース部材５２における第２梁部材２８側の端部が載せられて結合され、ブラケット５７には、最上位段部Ｃのベース部材５３における第２梁部材２８側の端部が載せられて結合支持されている。
【００５０】
また、廻り階段部２０における第１直線階段部２１側の端部には、この第１直線階段部２１と直交又は略直交して配置された第１横架部材５８が設けられ、廻り階段部２０における第２直線階段部２２側の端部にも、この第２直線階段部２２と直交又は直交して配置された第２横架部材５９が設けられている。そして、最下位段部Ａのベース部材５１における第１直線階段部２１側の端部は、第１横架部材５８に載せられて結合支持され、最上位段部Ｃのベース部材５３における第２直線階段部２２側の端部は、第２横架部材５９に載せられて結合支持されている。また、後述するように、中位段部Ｂのベース部材５２におけるベース部材５１側の端部は、下方へ折り曲げられてベース部材５１の上に載せられており（図１５を参照）、最上位段部Ｃのベース部材５３におけるベース部材５２側の端部は、下方へ折り曲げられてベース部材５２の上に載せられている（図１６を参照）。
【００５１】
このため、ベース部材５１〜５３によって構成されるベース構成体５０の全周又は略全周は、廻り階段部２０の廻り内側の部分を除き、廻り階段部２０の周囲を形成している第１及び第２梁部材２７，２８と第１及び第２横架部材５８，５９とによって支持されているとともに、このベース構成体５０を構成するベース部材５１〜５３のうち、ベース構成体５０の全周又は略全周の部分となっていないベース部材５２におけるベース部材５１と隣接する部分及びベース部材５３におけるベース部材５２と隣接する部分は、これらのベース部材５２，５３よりも下位のベース部材であるベース部材５１，５２によって支持されている。
【００５２】
また、図４で示されているとおり、第１直線階段部２１のささら桁部材２３，２４には、第１直線階段部２１の踏み板部材３７の両端部が載せられて結合支持されるブラケット４１が取り付けられ、第２直線階段部２２のささら桁部材２５，２６にも、第２直線階段部２２の踏み板部材３８の両端部が載せられて結合支持されるブラケット４２が取り付けられている。
【００５３】
図５は、図４で示されているベース構成体５０を省略して示した本実施形態に係る廻り階段構造の平面図である。また、図６は、図５で示されている廻り階段部２０と第１直線階段部２１との接続箇所を示す図である。そして、図７は、図６のＳ７−Ｓ７線断面図である。図６に示されているように、柱３と４にはＬ字形状ブラケット６０，６１が結合され、これらのブラケット６０，６１には、第１直線階段部２１のささら桁部材２３，２４の上端部が結合具６２で結合されているとともに、第１横架部材５８も結合具６３で結合されている。また、ブラケット６０，６１には、第１横架部材５８よりも第１直線階段部２１側に配置された水平部材６４が結合具６３で結合され、図７に示されているように、第１横架部材５８と互いに背中合わせで結合具６５によって結合されているこの水平部材６４の上面に、図１で説明した張り出し踏み板部材３９が載せられて結合支持される。
【００５４】
なお、第１直線階段部２１のささら桁部材２３，２４の下端部は、図１で示されている柱１，２に図示外のブラケットによって結合されている。
【００５５】
図８は、図５で示されている廻り階段部２０の第１梁部材２７と第２梁部材２８との接続箇所を示す図であり、図９は、図８のＳ９−Ｓ９線断面図である。図６及び図８で示されているとおり、柱４と６にはＬ字形状ブラケット６６，６７が結合され、これらのブラケット６６，６７には、廻り階段部２０の第１梁部材２７の両端部が結合具６８で結合されている。
【００５６】
図１０は、図５で示されている廻り階段部２０の廻り外側における廻り階段部２０と第２直線階段部２２との接続箇所を示す図であり、図１１は、図１０のＳ１１−Ｓ１１線断面図である。図８及び図１０で示されているとおり、柱６と５にはＬ字形状ブラケット６９，７０が結合され、これらのブラケット６９，７０には、廻り階段部２０の第２梁部材２８の両端部が結合具７１で結合されている。
【００５７】
また、図６及び図１０で示されているとおり、柱３と５にはＬ字形状ブラケット７２，７３が結合され、これらのブラケット７２，７３には、第２直線階段部２２のささら桁部材２５，２６の下端部が結合具７４で結合されているとともに、前述した第２横架部材５９も結合具７５で結合されている。また、ブラケット７２，７３には、第２横架部材５９よりも第２直線階段部２２側に配置された水平部材７６が結合具７５で結合され、図１１に示されているように第２横架部材５９と互いに背中合わせで結合具７７によって結合されているこの水平部材７６の上面に、図１で説明した張り出し踏み板部材４０が載せられて結合支持される。
【００５８】
なお、図６のＳ１２−Ｓ１２線断面図は図１２に示されている。この図１２に示されているように、図１で示されている廻り階段部２０における第１直線階段部２１側の第１横架部材５８と第２直線階段部２２側の第２横架部材５９との間には、廻り階段部２０の３段の段部Ａ〜Ｃの高さの差に相当する上下の段差が存在する。
【００５９】
また、図１で説明した廻り内側部材２９は、図１２で示されているように、上下方向の長さを有しており、この上下方向の長さは、階段部２０の３段の段部Ａ〜Ｃの高さの差を超えるものであり、また、前述したとおり平面視がＬ字の箱形状に形成されているこの廻り内側部材２９は、柱３に第１直線階段部２１のささら桁部材２３や第１横架部材５８を結合している前記ブラケット６０と、柱３に第２直線階段部２２のささら桁部材２５や第２横架部材５９を結合している前記ブラケット７２とを覆うもの、言い換えると、これらのブラケット６０，７２を隠すものとなっている（図１も参照）。
【００６０】
図１３は、廻り階段部２０の第１梁部材２７を示す図５のＳ１３−Ｓ１３線断面図であり、図１４は、廻り階段部２０の第２梁部材２８を示す図５のＳ１４−Ｓ１４線断面図である。図１３に示されているように、第１梁部材２７に取り付けられている前述したＬ字形状ブラケット５４とＬ字形状ブラケット５５との間には、上下の段差が存在し、また、図１４に示されているように、第２梁部材２８に取り付けられている前述したＬ字形状ブラケット５６とＬ字形状ブラケット５７との間にも、上下の段差が存在し、Ｌ字形状ブラケット５５とＬ字形状ブラケット５６との間には、上下の段差は存在しない。
【００６１】
図１５は、ブラケット５４と５５に、前述した板金の折り曲げ品となっているベース部材５１と５２を結合支持させた状態を示し、図１６は、ブラケット５６と５７に、板金の折り曲げ品となっているベース部材５２と５３を結合支持させた状態を示している。図１５で示されているように、ベース部材５１は、ブラケット５４と第１横架部材５８との上に載せられた水平の本体部５１Ａと、この本体部５１Ａにおけるベース部材５２側の端部に設けられ、本体部５１Ａから立ち上がった立上部５１Ｂとからなる。また、図１５及び図１６で示されているように、ベース部材５２は、ブラケット５５と５６の上に載せられた水平の本体部５２Ａと、この本体部５２Ａにおけるベース部材５１側の端部から下方に折れ曲がり、ベース部材５１の本体部５１Ａまで達する上下延出部５２Ｂと、本体部５２Ａにおけるベース部材５３側の端部に設けられ、本体部５２Ａから立ち上がった立上部５２Ｃとからなる。さらに、図１６で示されているように、ベース部材５３は、ブラケット５７と第２横架部材５９との上に載せられた水平の本体部５３Ａと、この本体部５３Ａにおけるベース部材５２側の端部から下方に折れ曲がり、ベース部材５２の本体部５２Ａまで達する上下延出部５３Ｂとからなる。
【００６２】
以上のベース部材５１〜５３の上に前述した廻り階段部２０の踏み板部材３１〜３６が載せられることにより、踏み板部材３１と３２によって廻り階段部２０の図１で示した最下位段部Ａが、踏み板部材３３と３４によって廻り階段部２０の中位段部Ｂが、踏み板部材３５と３６によって廻り階段部２０の最上位段部Ｃが、それぞれ形成される。
【００６３】
そして、このように廻り階段部２０のそれぞれの段部Ａ〜Ｃが形成されたとき、図１５で示したベース部材５２の上下延出部５２Ｂは、最下位段部Ａと中位段部Ｂとの間の蹴込み板部材となり、図１６で示したベース部材５３の上下延出部５３Ｂは、中位段部Ｂと最上位段部Ｃとの間の蹴込み板部材となる。
【００６４】
廻り階段部２０の踏み板部材３１〜３６、第１直線階段部２１の踏み板部材３７、第２直線階段部２２の踏み板部材３８及び前述した張り出し踏み板部材３９，４０は、これらの踏み板部材３１〜４０が載せられた部材に結合されており、この結合構造は図１７及び図１８に示されており、図１７は、踏み板部材の平面図であり、図１８は、図１７のＳ１８−Ｓ１８線断面図である。そして、これらの図１７と図１８は、それぞれの踏み板部材３１〜４０の代表例として、廻り階段部２０の踏み板部材３１の場合を示している。
【００６５】
セメント等を主成分とし、比較的大きな厚さを有するものとなっている踏み板部材３１の内部には、踏み板部材３１の一方の端部から他方の端部まで連通している空洞部８０が設けられており、この空洞部８０まで達する孔８１が踏み板部材３１の下面に形成されている。空洞部８０にはナット８２が挿入され、このナット８２は、空洞部８０に対して回り止めとなる多角形状に形成された本体部８２Ａと、この本体８２Ａから孔８１側へ突出した凸部８２Ｂとを有する。また、ナット８２には板ばね部材８３が結合され、この板ばね部材８３には、ナット８２の本体部８２Ａにおける凸部８２Ｂ側とは反対側の面と対面する対面部８３Ａが設けられている。
【００６６】
ナット８２を踏み板部材３１のどちらか一方の端部から空洞部８０に挿入し、この空洞部８０内を指によってナット８２を押して移動させ、ナット８２が孔８１の位置に達すると、ナット８２の凸部８２Ｂは、板ばね部材８３の対面部８３Ａのばね力によって孔８１に嵌合することになり、これにより、ナット８２は、踏み板部材３１の所定位置に位置決め配置されることになる。
【００６７】
図１７では、踏み板部材３１の幅寸法、すなわち、この踏み板部材３１における歩行方向と直交する水平方向の寸法が、Ｌ１となっている。また、空洞部８０に配置されている２個のナット８２のうち、一方のナット８２の配置位置は、踏み板部材３１における空洞部８０の延設方向両側の２つの外面３１Ａ，３１Ｂのうち、一方の外面３１Ａから距離Ｌ２の位置となっており、他方のナット８２の配置位置は、他方の外面３１Ｂから距離Ｌ３の位置となっている。図１８で示した孔８１ついての外面３１Ａ，３１Ｂからの距離となっているこれらの距離Ｌ２，Ｌ３は、空洞部８０のそれぞれの端部から指でナット８２を、孔８１が形成されている上述の所定位置まで押し込むことができる距離である。
【００６８】
踏み板部材３１が上に載せられていてこの踏み板部材３１を支持する部材となっているベース部材５１には、図１８で示されているように、ボルト８４の軸部８４Ａが挿入される孔８５が形成されており、ナット８２の個数と対応する２個形成されているそれぞれの孔８５に、それぞれのボルト８４の軸部８４Ａをベース部材５１の下方から挿入し、ボルト８４を回転させることにより、踏み板部材３１は、ベース部材５１にボルト８４とナット８２で結合されることになる。
【００６９】
なお、図１７で示したＬ１の寸法を、図２０で示すようにＬ４とした踏み板部材１３１を用意しなければならない場合がある。これは、廻り階段部２０、第１直線階段部２１及び第２直線階段部２２の幅寸法、すなわち、これらの階段部２０〜２２における歩行方向と直交する水平方向の寸法を、図１７のＬ１ではなく、図２０のＬ４とする廻り階段構造を製作する場合である。
【００７０】
このような廻り階段構造を製作する場合にも、それぞれのナット８２を踏み板部材１３１の内部の所定位置に位置決め配置するために、踏み板部材１３１の下面に図１８で示した孔８１を形成する作業を行わなければならないが、この作業を、図１７の踏み板部材３１の場合と同じく、図２０で示す踏み板部材１３１のそれぞれの外面１３１Ａ，１３１Ｂから距離Ｌ２，Ｌ３の位置において行う。
【００７１】
これによると、廻り階段部と第１直線階段部と第２直線階段部とにおける歩行方向と直交する水平方向の寸法が異なっている各タイプの廻り階段構造を製作する場合であっても、ナット８０を位置決め配置するために必要となる孔８１を踏み板部材に形成する作業を、各タイプの廻り階段構造について、踏み板部材の外面から孔８１までの距離を統一した距離にして行えることになり、これにより、それぞれの踏み板部材に孔８１を形成する作業を容易に行える。また、孔８１を形成する位置は、それぞれの踏み板部材の外面を基準として決めることができるため、孔８１を形成する位置を正確に設定することができ、さらに、この位置は、指でナット８２を空洞部８０に押し込むことができる位置であるため、踏み板部材の内部の所定位置にナット８２を指による押し込み作業で容易に配置することができる。
【００７２】
図１に示されているように、廻り階段部２０の廻り内側に１本配置された前記柱３と、廻り階段部２０の段部Ａ〜Ｃを形成している踏み板部材３１〜３６との間のスペースには、前述した廻り内側部材２９が配置されており、このため、この廻り内側部材２９は、このスペースを埋めるためのスペーサとなっている。このようにスペーサとなっている廻り内側部材２９は、柱３に図示外のブラケット等で取り付けられており、この取り付けは、図６及び図１２で示されているブラケット６０，７２を利用して行ってもよい。
【００７３】
また、この廻り内側部材２９には、第１直線階段部２１における廻り階段部２０の廻り内側の面を形成しているささら桁部材２３の面２３Ａの廻り階段部２０側への延長線と一致又は略一致する面２９Ａと、第２直線階段部２２における廻り階段部２０の廻り内側の面を形成しているささら桁部材２５の面２５Ａの廻り階段部２０側への延長線と一致又は略一致する面２９Ｂとが設けられおり、これらの面２９Ａと２９Ｂがなす角度は、第１直線階段部２１と第２直線階段部２２がなす角度と同じ又は略同じである。
【００７４】
図１９は、廻り階段部２０の廻り中心部Ｄの位置を示す廻り階段構造の概略平面図である。この廻り中心部Ｄは、廻り階段部２０の段部Ａ〜Ｃ同士の間の２つの境界線の延長線同士の交点や、廻り階段部２０の段部Ａ〜Ｃ同士の間の２つの境界線のうちの１つの境界線の延長線と、廻り階段部２０と第１直線階段部２１との間の境界線の延長線との交点、廻り階段部２０の段部Ａ〜Ｃ同士の間の２つの境界線のうちの１つの境界線の延長線と、廻り階段部２０と第２直線階段部２２との間の境界線の延長線との交点である。図１９で示す本実施形態では、全部の交点の位置が一致しているが、これらの交点の位置の全部又は一部はずれていてもよい。
【００７５】
また、図１９には、第１直線階段部における廻り階段部２０の廻り内側の面の廻り階段部２０側への延長線Ｅと、第２直線階段部２２における廻り階段部２０の廻り内側の面の廻り階段部２０側への延長線Ｆとの交点Ｇの位置も示されている。
【００７６】
なお、第１直線階段部における廻り階段部２０の廻り内側の面とは、第１直線階段部２１における廻り階段部２０の廻り内側のささら桁部材２３の面２３Ａのことであり、第２直線階段部２２における廻り階段部２０の廻り内側の面とは、第２直線階段部２２における廻り階段部２０の廻り内側のささら桁部材２５の面２５Ａのことである。また、延長線Ｅとは、図１で説明したささら桁部材２３の面２３Ａの廻り階段部２０側への延長線のことであり、延長線Ｆとは、図１で説明したささら桁部材２５の面２５Ａの廻り階段部２０側への延長線のことである。
【００７７】
図１９に示されているように、廻り階段部２０の廻り中心部Ｄの位置は、交点Ｇの位置よりも廻り階段部２０から遠い位置になっている。
【００７８】
このため、本実施形態によると、廻り階段部２０の廻り中心部Ｄの位置が交点Ｇの位置と同じ又は略同じになっている場合よりも、廻り階段部２０におけるそれぞれの段部Ａ〜Ｃの廻り中心部Ｄ側での歩行方向寸法が長くなり、このため、廻り階段部２０を昇降するための歩行が容易になる。
【００７９】
また、本実施形態によると、廻り階段部２０の廻り内側に配置された廻り内側部材２９には、第１直線階段部２１における廻り階段部２０の廻り内側の面の廻り階段部側への延長線Ｅと一致又は略一致する面２９Ａと、第２直線階段部２２における廻り階段部２０の廻り内側の面の廻り階段部２０側への延長線Ｆと一致又は略一致する面２９Ｂとが設けられているため、これらの面２９Ａ，２９Ｂにより、廻り階段部２０の廻り内側において、廻り階段部２０と第１直線階段部２１及び第２直線階段部２２との連続性が確保されることになり、このため、廻り階段部２０を昇降するための歩行を容易に行えるようになる。
【００８０】
そして、廻り階段部２０の廻り外側には第１及び第２梁部材２７，２８が配置され、第１梁部材２７は、第１直線階段部２１を形成する廻り階段部２０の廻り外側のささら桁部材２４の廻り階段部２０側への延長方向に配置され、第２梁部材２８は、第２直線階段部２２を形成する廻り階段部２０の廻り外側のささら桁部材２６の廻り階段部２０側への延長方向に配置されているため、これらの梁部材２７，２８により、廻り階段部２０の廻り外側においても、廻り階段部２０と第１直線階段部２１及び第２直線階段部２２との連続性が確保されることになり、この点でも廻り階段部２０を昇降するための歩行を容易に行えるようになる。
【００８１】
さらに本実施形態によると、廻り階段部２０の廻り内側には、１本の柱３が立設され、この柱３に、第１直線階段部２１における廻り階段部２０の廻り内側の面を形成するささら桁部材２３と、第２直線階段部２２における廻り階段部２０の廻り内側の面を形成するささら桁部材２５とがブラケット６０，７２を介して結合された構造となっているため、廻り階段部２０の廻り中心部Ｄの位置が、上述した交点Ｇの位置よりも廻り階段部２０から遠い位置になっていても、ささら桁部材２３とささら桁部材２５ごとに柱を設ける必要がなく、これにより、廻り階段部２０の廻り内側の構造を簡単化することができる。
【００８２】
また、柱３と、廻り階段部２０を形成するそれぞれの踏み板部材３１〜３６との間には、廻り内側部材２９が配置されているため、この廻り内側部材２９により、柱３と、廻り階段部２０を形成するそれぞれの踏み板部材３１〜３６との間のスペースを埋めることができ、このため、廻り内側部材２９を、廻り階段部２０と第１直線階段部２１及び第２直線階段部２２との連続性を確保するための部材としても、また、柱３と、廻り階段部２０を形成するそれぞれの踏み板部材３１〜３６との間のスペースを埋めるためのスペーサとしても、用いることができるようになり、これにより、廻り内側部材２９の兼用化を図ることができる。
【００８３】
さらに本実施形態によると、廻り内側部材２９は、図１に示され、図１２でも説明したように、柱３と、第１直線階段部２１を形成する廻り階段部２０の廻り内側のささら桁部材２３とを結合するブラケット６０と、柱３と、第２直線階段部２２を形成する廻り階段部２０の廻り内側のささら桁部材２５とを結合するブラケット７２とを隠すための化粧部材ともなっており、このため、廻り内側部材２９についての兼用化が一層図られていることになる。
【００８４】
また、廻り階段部２０を形成するそれぞれの踏み板部材３１〜３６は、これらの踏み板部材３１〜３６の下面全体又は下面略全体が載せられたベース構成体５０によって支持されているため、それぞれの踏み板部材３１〜３６をベース構成体６０によって有効に支持することができる。
【００８５】
また、ベース構成体５０は、廻り階段部２０の廻り外側に、この廻り階段部２０の廻り外側の面を形成するために配置された梁部材２７，２８によって支持されているため、ベース構成体５０を、廻り階段部２０の外側の面を形成する梁部材２７，２８を利用して有効に支持することができる。
【００８６】
また、梁部材２７は、第１直線階段部２１を形成する廻り階段部２０の廻り外側のささら桁部材２３の廻り階段部２０側への延長方向に配置された第１梁部材２７であり、梁部材２８は、第２直線階段部２２を形成する廻り階段部２０の廻り外側のささら桁部材２６の廻り階段部２０側への延長方向に配置された第２梁部材２８であるため、角度をなすこれらの梁部材２７，２８によってベース構成体５０を有効に支持することができる。
【００８７】
また、ベース構成体５０は、廻り階段部２０における第１直線階段部２１側の端部にこの第１直線階段部２１と直交又は略直交して配置された第１横架部材５８と、廻り階段部２０における第２直線階段部２２側の端部にこの第２直線階段部２２と直交又は直交して配置された第２横架部材５９とによっても支持されているため、ベース構成体５０の支持を一層有効に行えることになる。
【００８８】
さらに、以上のようにベース構成体５０を、このベース構成体５０を囲むように配置された第１及び第２梁部材２７，２８と第１及び第横架部材５８，５９によって支持することにより、廻り内側部材２９が配置された廻り階段部２０の廻り内側の部分においてベース構成体５０を支持する必要がなくなり、この廻り階段部２０の廻り内側の部分は、廻り階段部２０の最下位段部Ａと最上位段部Ｃとの間の大きな高さの差が生じている部分であって、構造が複雑になりがちの部分であるため、この部分においてベース構成体５０を支持する必要がなくなることにより、その分だけ廻り階段部２０の廻り内側の部分の構造を一層簡単化できることになる。
【００８９】
また、ベース構成体５０は、廻り階段部２０を形成するそれぞれ段部Ａ〜Ｃごとに設けられたベース部材５１〜５３の組み合わせによって形成されているため、高さ方向を含む３次元の形状となっているベース構成体５０を、廻り階段部２０の段部Ａ〜Ｃごとに設けられた比較的小面積で比較的形状が単純となったベース部材５１〜５３の組み合わせで形成することができ、これにより、ベース構成体５０の製造を容易に行える。
【００９０】
さらに、互いに隣接する２個のベース部材５１と５２、５２と５３のうち、ベース部材５２，５３には、図１５及び図１６で説明したように、上下方向へ延びる上下延出部５２Ｂ、５３Ｂが設けられているため、これらの上下延出部５２Ｂ、５３Ｂを、２個のベース部材５１と５２、５２と５３によって支持されている踏み板部材同士の間の蹴込み板部材とすることができ、これらの踏み板部材同士の間に特別に蹴込み板部材を配置する必要がなくなるため、この蹴込み板部材を省略できるようになる。
【００９１】
また、本実施形態では、廻り階段部２０のそれぞれの段部Ａ〜Ｃは、２個の踏み板部材３１と３２、３３と３４、３５と３６の組み合わせで形成されているため、それぞれの段部Ａ〜Ｃの上面が大面積となっていても、これらの段部Ａ〜Ｂの形成作業を容易に行えるようになる。
【００９２】
なお、本発明は、第１直線階段部２１のささら桁部材２３と２４同士の間の間隔である第１直線階段部２１の有効幅寸法と、第２直線階段部２２のささら桁部材２５と２６同士の間の間隔である第２直線階段部２２の有効幅寸法とが、同じになっている場合と、異なっている場合との両方について、適用することができる。
【００９３】
また、図１７と図２０で説明したように、異なる寸法Ｌ１、Ｌ４を有している踏み板部材を製造する際に、これらの踏み板部材におけるナット８０の配置位置を、踏み板部材の外面からの距離Ｌ２，Ｌ３が統一された位置にすることは、廻り階段部２０の廻り中心部Ｄの位置を、前述した交点Ｇの位置よりも廻り階段部２０から遠い位置にするという前述した構造及びこの構造に関係した構造とは無関係に、また、廻り階段部２０のそれぞれの段部Ａ〜Ｃを形成する全部の踏み板部材３１〜３６の下面全体又は下面略全体を、ベース部材５１〜５３で構成されたベース構成体５０によって支持するという前述した構造及びこの構造に関係した構造とは無関係に、実施することができる。
【００９４】
また、廻り階段部２０のそれぞれの段部Ａ〜Ｃを形成する全部の踏み板部材３１〜３６の下面全体又は下面略全体を、ベース部材５１〜５３で構成されたベース構成体５０によって支持するという構造及びこの構造と関係した構造も、廻り階段部２０の廻り中心部Ｄの位置を、前述した交点Ｇの位置よりも廻り階段部２０から遠い位置にするという構造及びこの構造に関係した構造とは無関係に、実施することができる。
【００９５】
ところで、建築基準法によると、廻り階段部２０のそれぞれの段部Ａ〜Ｃについての歩行方向の寸法は、それぞれの段部Ａ〜Ｃにおける廻り階段部２０の廻り内側の端部から廻り外側へ３００ｍｍの位置において、２１０ｍｍ以上の長さがなければならないと定められている。図２１は、この２１０ｍｍ以上を確保するために必要となる、廻り階段部２０の廻り中心部Ｄから、廻り階段部２０のそれぞれの段部Ａ〜Ｃにおける廻り階段部２０の廻り内側の端部までの距離を示している概略図である。
【００９６】
図２１において、ａ１，ａ２，ａ３，ａ４は、廻り階段部２０の廻り中心部Ｄから、廻り階段部２０のそれぞれの段部Ａ〜Ｃにおける廻り階段部２０の廻り内側の端部までの距離であり、ｂは、上記３００ｍｍであり、ｃ１，ｃ２，ｃ３は、それぞれの段部Ａ〜Ｃでの２１０ｍｍ以上の長さがなければならないと定められている歩行方向の寸法である。また、θは、廻り階段部２０の廻り中心部Ｄについて、それぞれの段部Ａ〜Ｃがなす角度であり、図２１では、第１直線階段部２１と第２直線階段部２２とがなす角度は９０°になっているため、θは３０°である。また、図２１は、図１で示した実施形態と同様に、廻り階段部２０の廻り内側に廻り内側部材２９が配置され、この廻り内側部材２９に９０°の角度をなす前述した面２９Ａ、２９Ｂが設けられている場合を示している。
【００９７】
また、図２１は、それぞれの段部Ａ〜Ｃについて、廻り階段部２０の廻り中心部Ｄから、それぞれの段部Ａ〜Ｃにおける廻り階段部２０の廻り内側の端部までの距離ａ１，ａ２，ａ３，ａ４が異なっている場合であって、距離ａ１が最も小さい場合を示している。このため、図２１の場合は、段部Ａにおける歩行方向の寸法ｃ１が、他の段部Ｂ，Ｃの歩行方向の寸法ｃ２，ｃ３よりも短くなっている。
【００９８】
このように歩行方向の寸法ｃ１が最も小さくなっている段部Ａについて、角度θを半分とする補助線１００を引くとともに、この補助線１００における廻り階段部２０の廻り外側の端部を通り、補助線１００に対して直角をなす線１０１を引くと、この線１０１の段部Ａにおける長さをｄとしたとき、ｄ＝２×（ａ１＋ｂ）×ｓｉｎ（θ／２）となる。
【００９９】
この式において、ｂ＝３００ｍｍ，θ＝３０°とし、ｄ＝２１０ｍｍとした場合、ａ１＝１０５．７ｍｍとなる。
【０１００】
すなわち、ａ１を１０５．７ｍｍ以上とすることにより、ｄを２１０ｍｍ以上とすることができる。そして、ｄよりもｃ１は大きいことは明らかであるため、ｃ１を２１０ｍｍ以上とするためには、ａ１を１０５．７ｍｍ以上とすればよいことが分かる。
【０１０１】
上記式は、ａ４が最も小さい場合にも成立する。また、上記式は、ａ２又はａ３が最も小さい場合（これは、廻り階段部２０の廻り内側に配置される廻り内側部材２９に９０°の角度をなす面２９Ａ、２９Ｂが設けられない場合である。）にも成立する。
【０１０２】
このため、廻り階段部２０の段部の段数が３段である場合には、廻り階段部２０におけるそれぞれの段部Ａ〜Ｃでの歩行方向の寸法を、それぞれの段部Ａ〜Ｃにおける廻り階段部２０の廻り内側の端部から廻り外側へ３００ｍｍの位置において、建築基準法が求める２１０ｍｍ以上とするためには、廻り階段部２０の廻り中心部Ｄから、廻り階段部２０のそれぞれの段部Ａ〜Ｃにおける廻り階段部２０の廻り内側の端部までの距離のうち、最も小さい距離を１０５．７ｍｍ以上とすればよいことになる。
【０１０３】
そして、この最も小さい距離は、廻り階段部２０の段部の段数が４段である場合には、上記と同様に計算することにより、２３８．２ｍｍとなり、廻り階段部２０の段部の段数が５段である場合には、３７１．３ｍｍとなる。
【０１０４】
なお、廻り階段部２０の段部の段数が２段である場合には、廻り階段部２０の廻り中心部Ｄの位置を、図１９や図２１で示されているように廻り階段部２０から外れた位置としなくても、建築基準法が求める２１０ｍｍ以上を確保することができる。
【０１０５】
また、図２２は、図２１に示す場合と同様に、廻り階段部２０の段部の段数が３段で、ａ１が最も小さい場合（ａ１＝ａ４の場合を含む）に、ｃ１を２１０ｍｍ以上とする場合を示している。
【０１０６】
この場合には、（ｃ１）２＝（ｂ×ｓｉｎθ＋ａ１×ｔａｎθ）２＋（ｂ−ｂ×ｃｏｓθ）２となる。
【０１０７】
この式において、ｂ＝３００ｍｍ，θ＝３０°とし、ｃ１＝２１０ｍｍとした場合、ａ１＝９７．２ｍｍとなる。
【０１０８】
すなわち、ａ１を９７．２ｍｍ以上とすることにより、ｃ１を２１０ｍｍ以上とすることができ、ａ１＝ａ４の場合には、ｃ３も２１０ｍｍ以上とすることができる。
【０１０９】
また、以上と同じことは、ａ４が最も小さい場合にもいうことができ、この場合には、ａ４を９７．２ｍｍ以上とすることにより、ｃ３を２１０ｍｍ以上とすることができる。
【０１１０】
さらに、廻り階段部２０の段部の段数が４段である場合には、上記と同様に計算することにより、ｃ１及び／又はｃ３を２１０ｍｍ以上とするためには、ａ１及び／又はａ４を２２６．９ｍｍ以上とすればよく、廻り階段部２０の段部の段数が５段である場合には、ｃ１及び／又はｃ３を２１０ｍｍ以上とするためには、ａ１及び／又はａ４を３５９．５ｍｍ以上とすればよい。
【０１１１】
なお、図２２の場合にも、廻り階段部２０の段部の段数が２段である場合には、廻り階段部２０の廻り中心部Ｄの位置を、図１９や図２１で示されているように廻り階段部２０から外れた位置としなくても、建築基準法が求める２１０ｍｍ以上を確保することができる。
【産業上の利用可能性】
【０１１２】
本発明に係る廻り階段構造は、例えば、集合住宅の外部に設置される外階段や、室内階段等として利用できる。
【図面の簡単な説明】
【０１１３】
【図１】図１は、本発明の一実施形態に係る廻り階段構造を示す平面図である。
【図２】図２は、図１のＳ２矢視図である。
【図３】図３は、図１のＳ３矢視図である。
【図４】図４は、図１で示されている廻り階段部と第１直線階段部と第２直線階段部を形成する踏み板部材等を省略して示した図１と同様の図である。
【図５】図５は、図４で示されているベース構成体を省略して示した図１と同様の図である。
【図６】図６は、図５で示されている廻り階段部と第１直線階段部との接続箇所を示す図である。
【図７】図７は、図６のＳ７−Ｓ７線断面図である。
【図８】図８は、図５で示されている廻り階段部の第１梁部材と第２梁部材との接続箇所を示す図である。
【図９】図９は、図８のＳ９−Ｓ９線断面図である。
【図１０】図１０は、図５で示されている廻り階段部の廻り外側における廻り階段部と第２直線階段部の接続箇所を示す図である。
【図１１】図１１は、図１０のＳ１１−Ｓ１１線断面図である。
【図１２】図１２は、図６のＳ１２−Ｓ１２線断面図である。
【図１３】図１３は、廻り階段部の第１梁部材を示す図５のＳ１３−Ｓ１３線断面図である。
【図１４】図１４は、廻り階段部の第２梁部材を示す図５のＳ１４−Ｓ１４線断面図である。
【図１５】図１５は、ベース構成体を構成するベース部材を廻り階段部の第１梁部材にブラケットを介して結合支持させた状態を示す図１３と同様の図である。
【図１６】図１６は、ベース構成体を構成するベース部材を廻り階段部の第２梁部材にブラケットを介して結合支持させた状態を示す図１４と同様の図である。
【図１７】図１７は、踏み板部材とこの踏み板部材が載せられた部材との結合構造を示すための踏み板部材の平面図である。
【図１８】図１８は、図１７のＳ１８−Ｓ１８線断面図である。
【図１９】図１９は、廻り階段部の廻り中心部の位置を示す廻り階段構造の概略平面図である。
【図２０】図２０は、図１７で示された踏み板部材とは寸法が異なる踏み板部材を示す平面図である。
【図２１】図２１は、廻り階段部のそれぞれの段部についての歩行方向の寸法を建築基準法が求める寸法とするために必要となる、廻り階段部の廻り中心部から、廻り階段部のそれぞれの段部における廻り階段部の廻り内側の端部までの距離を示す概略図である。
【図２２】図２２は、建築基準法が求める寸法を確保するための図２１とは別の計算を示す概略図である。
【符号の説明】
【０１１４】
３  廻り階段部の廻り内側の柱
２０  廻り階段部
２１  第１直線階段部
２２  第２直線階段部
２３，２４  第１直線階段部のささら桁部材
２５，２６  第２直線階段部のささら桁部材
２７  廻り階段部の第１梁部材
２８  廻り階段部の第２梁部材
２９  廻り内側部材
３１〜３６  廻り階段部の踏み板部材
５０  ベース構成体
５１〜５３  ベース部材
５２Ｂ，５３Ｂ  上下延出部
５８  第１横架部材
５９  第２横架部材
６０  柱と、第１直線階段部を形成する廻り階段部の廻り内側のささら桁部材とを結合するブラケット
７２  柱と、第２直線階段部を形成する廻り階段部の廻り内側のささら桁部材とを結合するブラケット
Ａ〜Ｃ  廻り階段部の段部
Ｄ  廻り階段部の廻り中心部
Ｇ  第１直線階段部における廻り階段部の廻り内側の面の廻り階段部側への延長線と、第２直線階段部における廻り階段部の廻り内側の面の廻り階段部側への延長線との交点
【図１】
0005184946.tif 000002
【図２】
0005184946.tif 000003
【図３】
0005184946.tif 000004
【図４】
0005184946.tif 000005
【図５】
0005184946.tif 000006
【図６】
0005184946.tif 000007
【図７】
0005184946.tif 000008
【図８】
0005184946.tif 000009
【図９】
0005184946.tif 000010
【図１０】
0005184946.tif 000011
【図１１】
0005184946.tif 000012
【図１２】
0005184946.tif 000013
【図１３】
0005184946.tif 000014
【図１４】
0005184946.tif 000015
【図１５】
0005184946.tif 000016
【図１６】
0005184946.tif 000017
【図１７】
0005184946.tif 000018
【図１８】
0005184946.tif 000019
【図１９】
0005184946.tif 000020
【図２０】
0005184946.tif 000021
【図２１】
0005184946.tif 000022
【図２２】
0005184946.tif 000023